(57)【要約】      （修正有）【課題】モータ動力設備がシール設備裏側に取り付けられるシール設備を提供する。【解決手段】シール設備１００は、台座１１０、フィルム装置１２０、収容装置１４０、防護カバー１５０及びフィルム圧着装置１３０を含む。フィルム装置１２０は、フィルム材受取ホイール１２２及びフィルム材供給ホイール１２４を含む。フィルム材受取ホイール１２２及びフィルム材供給ホイール１２４は、台座１１０の外部に配置される。防護カバー１５０は、台座１１０に設けられると共にフィルム装置１２０を一部覆う。フィルム圧着装置１３０は、ヒートシール部材１３２、懸架押圧板１３４、伝動シャフト１３６及び第１のモータ１３８を含む。伝動シャフト１３６は懸架押圧板１３４と接続され、懸架押圧板１３４はヒートシール部材１３２と接続され、第１のモータ１３８は伝動シャフト１３６を介して懸架押圧板１３４を収容装置１４０に対して移動するように駆動する。【選択図】図１
0003192824.tif 000002
【実用新案登録請求の範囲】
【請求項１】
基板を有する台座と、
前記台座の外部に配置されるフィルム材受取ホイールと、前記台座の外部に配置されるフィルム材供給ホイールとを含むフィルム装置と、
収容装置と、
前記台座に設けられると共に前記フィルム装置を一部覆う防護カバーと、
ヒートシール部材と、前記ヒートシール部材と接続される懸架押圧板と、前記懸架押圧板と接続される伝動シャフトと、前記伝動シャフトを介して前記懸架押圧板を前記収容装置に対して移動するように駆動する第１のモータとを含むフィルム圧着装置と、
を含むことを特徴とするシール設備。
【請求項２】
前記第１のモータは前記台座の内部に配置され、
前記基板は前記フィルム装置と前記第１のモータとの間に位置し、
前記フィルム装置及び前記第１のモータは前記基板の対向する両側にそれぞれ配置されることを特徴とする請求項１に記載のシール設備。
【請求項３】
前記フィルム材受取ホイール及び前記フィルム材供給ホイールの配置位置は、上下に配置されることを特徴とする請求項１又は２に記載のシール設備。
【請求項４】
前記フィルム材受取ホイールの軸心は、前記フィルム材供給ホイールの軸心上方の開角１００°の範囲内に配置されることを特徴とする請求項３に記載のシール設備。
【請求項５】
前記フィルム材供給ホイールの軸心は、前記フィルム材受取ホイールの軸心上方の開角１００°の範囲内に配置されることを特徴とする請求項３に記載のシール設備。
【考案の詳細な説明】
【技術分野】
【０００１】
本考案は、シール設備に関し、特にシール設備の構造に関する。
【背景技術】
【０００２】
現在一般的なシール設備、例えば飲料用シーラーは、通常、フィルム装置、収容装置、フィルム圧着装置及び複数のモータ動力設備を含む。シーラーの主な作動原理は、主としてモータ動力設備を介してフィルム装置、収容装置及びフィルム圧着装置を駆動し、熱と圧力を用いてフィルムを容器のカップ口に結合させることでシーリング動作を完了する。
【０００３】
一般的には、フィルム圧着装置を駆動するモータ動力設備は、シール設備の前側中部に設けられ、フィルム装置に含まれるフィルム材受取ホイール及びフィルム材供給ホイールは、シール設備の前側上部に水平に並列するよう設けられる。そのため、シール設備全体のサイズが幅広となりやすく、シール設備を設置するためにより大きな空間が必要となり、現在の機器の小型化の需要を満たすことができない問題があった。
【考案の概要】
【考案が解決しようとする課題】
【０００４】
本考案は、モータ動力設備がシール設備裏側に取り付けられるシール設備を提供することを課題とする。
【課題を解決するための手段】
【０００５】
本考案に係るシール設備は、台座、フィルム装置、収容装置、防護カバー及びフィルム圧着装置を含む。フィルム装置は、フィルム材受取ホイール及びフィルム材供給ホイールを含む。フィルム材受取ホイール及びフィルム材供給ホイールは、台座の外部に配置される。防護カバーは、台座に設けられると共にフィルム装置を一部覆う。フィルム圧着装置は、ヒートシール部材、懸架押圧板、伝動シャフト及び第１のモータを含む。伝動シャフトは懸架押圧板と接続される。懸架押圧板はヒートシール部材と接続される。第１のモータは、伝動シャフトを介して懸架押圧板を収容装置に対して移動するように駆動する。
【考案の効果】
【０００６】
本考案に係るシール設備は、台座、フィルム装置、フィルム圧着装置、防護カバー及び収容装置を含む。フィルム圧着装置は、ヒートシール部材、懸架押圧板、伝動シャフト及び第１のモータを含む。ヒートシール部材は、台座の基板の前側に配置される。第１のモータは、台座の基板の後側に配置される。これにより、第１のモータが基板の後側に配置されることから、基板の前側の空間が増加し、ひいては基板の前側に位置するフィルム材受取ホイール及びフィルム材供給ホイールを一般的な水平並列配置から、より好ましい上下並列配置に変更することが可能となる。また、第１のモータが基板の後側に配置されることから、第１のモータが伝動シャフト及び懸架押圧板を介してヒートシール部材を上下に伸縮するように駆動することが可能である。
【図面の簡単な説明】
【０００７】
【図１】本考案に係るシール設備の構造を示した正面図である。
【図２】本考案に係るシール設備の構造を示した側面図である。
【図３】本考案の他の実施例に係るシール設備の構造を示した正面図である。
【考案を実施するための形態】
【０００８】
本考案に係るシール設備は、主として例えば一般的な飲料カップといったカップ類容器のカップ口を閉じるのに適用される。シール設備は、加熱によってカップの縁にフィルムを粘着させることでカップ類容器のカップ口を密封する。図１は、本考案に係るシール設備の構造を示した正面図である。図２は、本考案に係るシール設備の構造を示した側面図である。図１及び図２に示すように、シール設備１００は、台座１１０、フィルム装置１２０、フィルム圧着装置１３０及び収容装置１４０を含む。フィルム装置１２０、フィルム圧着装置１３０、収容装置１４０及び防護カバー１５０はいずれも台座１１０に配置される。
【０００９】
台座１１０は、中空のハウジングであり、主としてシール設備１００の機械部品の一部を収容するのに用いられる。台座１１０は、基板Ｓ１を有する。基板Ｓ１は、台座１１０の前面ハウジングを構成する。即ち、基板Ｓ１は、台座１１０における使用者と向かい合うハウジングである。
【００１０】
フィルム装置１２０は、フィルム材受取ホイール１２２、フィルム材供給ホイール１２４及び第３のモータ１２６を含む。フィルム材受取ホイール１２２及びフィルム材供給ホイール１２４は台座１１０の外部に配置される。第３のモータ１２６は、台座１１０の内部に配置され、フィルムの供給と受取が行われるようにフィルム装置を駆動するのに用いられる。フィルム材受取ホイール１２２及びフィルム材供給ホイール１２４が台座１１０の基板Ｓ１の前側に配置され、第３のモータ１２６が台座１１０の基板Ｓ１の後側に配置されているため、基板Ｓ１の前側は使用者と向かい合う。本実施例において、フィルム材受取ホイール１２２は能動回転ホイール部材であり、フィルム材供給ホイール１２４は受動回転ホイール部材である。第３のモータ１２６は、回動して巻取を行うようにフィルム材受取ホイール１２２を駆動する。フィルム材供給ホイール１２４は、フィルム材受取ホイール１２２と連動してフィルムを供給する。但し、他の実施例において、フィルム材受取ホイール１２２は受動回転ホイール部材であってもよく、フィルム材供給ホイール１２４は能動回転ホイール部材であってもよく、本考案はそれらに限定されない。
【００１１】
本実施例において、フィルム材受取ホイール１２２及びフィルム材供給ホイール１２４の配置位置は上下並列配置である。即ち、フィルム材受取ホイール１２２及びフィルム材供給ホイール１２４は、垂直並列となるよう設けられることができる。又は、フィルム材受取ホイール１２２及びフィルム材供給ホイール１２４は、位置をずらして上下に配列される配置としてもよい。図１に示すように、フィルム材受取ホイール１２２はフィルム材供給ホイール１２４の上にあるが、異なる製品構成において、フィルム材供給ホイール１２４がフィルム材受取ホイール１２２の上に配置されてもよい。本実施例において、フィルム材受取ホイール１２２の軸心Ａ１は、フィルム材供給ホイール１２４の軸心Ａ２上方の開角θの範囲内に配置される。開角θは、軸心Ａ１及びＡ２を開角θの頂点とし、基板Ｓ１の前側の面で対称的に設けられた角度であって、開角θの範囲は１００°である。但し、他の実施例において、フィルム材供給ホイール１２４の軸心Ａ２もフィルム材受取ホイール１２２の軸心Ａ１上方の開角θが１００°の範囲内に配置されてもよい。
【００１２】
また、他の実施例において、フィルム材受取ホイール１２２及びフィルム材供給ホイール１２４は配置位置が左右となるように配置される。即ち、フィルム材受取ホイール１２２及びフィルム材供給ホイール１２４は、水平並列となるように設けられてもよい。但し、本考案はフィルム材受取ホイール１２２及びフィルム材供給ホイール１２４の配置位置を限定するものではない。
【００１３】
フィルム圧着装置１３０は、ヒートシール部材１３２、懸架押圧板１３４、伝動シャフト１３６及び第１のモータ１３８を含む。より詳しくは、第１のモータ１３８は台座１１０の内部に配置され、ヒートシール部材１３２は台座１１０の外部に配置される。ヒートシール部材１３２は台座１１０の基板Ｓ１の前側に配置され、第１のモータ１３８は台座１１０の基板Ｓ１の後側に配置される。即ち、フィルム装置１２０及び第１のモータ１３８は、基板Ｓ１の対向する両側にそれぞれ配置される。伝動シャフト１３６は一端が懸架押圧板１３４と接続される。伝動シャフト１３６は他端が第１のモータ１３８と接続される。懸架押圧板１３４はヒートシール部材１３２と接続される。第１のモータ１３８が基板Ｓ１の後側に配置されているため、基板Ｓ１の前側により大きな組立空間が提供され、ひいては基板Ｓ１の前側に位置するフィルム材受取ホイール１２２及びフィルム材供給ホイール１２４を一般的な水平並列配置から上下配置に変更することができる。また、基板Ｓ１後側の第１のモータ１３８によって、伝動シャフト１３６及び懸架押圧板１３４を介してヒートシール部材１３２を上下に伸縮させるよう駆動することができる。
【００１４】
収容装置１４０は、収容ホルダ１４２及び第２のモータ１４４を含む。収容ホルダ１４２は台座１１０の外部に配置される。第２のモータ１４４は台座１１０の内部に配置される。即ち、収容ホルダ１４２及び第２のモータ１４４は、基板Ｓ１の対向する両側にそれぞれ配置される。収容ホルダ１４２は、カップ類容器を収容するのに用いられると共に、カップ類容器のカップ口を露出させる。第２のモータ１４４は、収容ホルダ１４２を押し動かすように駆動するのに用いられる。
【００１５】
防護カバー１５０は、台座１１０に設けられると共にフィルム装置１２０を覆う。実務において、防護カバー１５０は、ハウジングであって、フィルム装置１２０に被せられ、作業中に塵埃、屑又は飛沫が入り込むことによってフィルム装置１２０が汚染されることを防止するのに用いることができる。本実施例において、防護カバー１５０は、フィルム材供給ホイール１２４を遮蔽する。但し、図３に示すように、他の実施例において、防護カバー１５０は、フィルム材受取ホイール１２２及びフィルム材供給ホイール１２４を遮蔽してもよい。フィルムの使用進度及び巻取の円滑程度の観察が便利となるように、防護カバー１５０は、透明な箱形のカバー体であってもよい。防護カバー１５０は、フィルム材供給ホイール１２４を包囲すると共にフィルムの送出空間を確保している。また、防護カバー１５０は、ヒンジ、ラッチ係合又はバネや止め輪によって台座１１０上に取り付けられることができる。但し、本考案はそれらに限定されない。
【００１６】
具体的には、カップが収容ホルダ１４２に置かれると、第２のモータ１４４は、カップ類容器がシール設備１００内に送られるように収容ホルダ１４２を駆動する。第１のモータ１３８は、伝動シャフト１３６を介して懸架押圧板１３４を収容装置１４０に向かって移動するように駆動する。ヒートシール部材１３２は、懸架押圧板１３４の動きに従って下方に押されると共に、フィルムシールを圧着する動作を行う。次いで、第３のモータ１２６は、回動して巻取を行うようにフィルム材受取ホイール１２２を駆動する。フィルム材供給ホイール１２４は、フィルム材受取ホイール１２２と連動して送出の動作を行う。第２のモータ１４４は、収容ホルダ１４２を前に向かって押し動かすように駆動すると共に、シールされたカップを取り出しやすくするように、カップが上昇してカップ口の高さが収容ホルダ１４２よりも若干高くなるようにする。
【００１７】
このように、本考案に係るシール設備は、台座、フィルム装置、防護カバー、フィルム圧着装置及び収容装置を含む。防護カバーは、作業中に塵埃、屑又は飛沫が入り込むことによってフィルム装置が汚染されることを防止するのに用いることができる。また、フィルム圧着装置は、ヒートシール部材、懸架押圧板、伝動シャフト及び第１のモータを含む。ヒートシール部材は、台座の基板の前側に配置される。第１のモータは、台座の基板の後側に配置される。これにより、第１のモータが基板の後側に配置されているため、基板の前側により大きな組立空間が提供され、ひいては基板の前側に位置するフィルム材受取ホイール及びフィルム材供給ホイールを一般的な水平横置き配置から上下縦置き配置に変更することができる。また、基板後側の第１のモータによって、伝動シャフト及び懸架押圧板を介してヒートシール部材を上下に伸縮させるよう駆動することができる。
【００１８】
以上は、本考案の実施例に過ぎず、本考案の範囲を限定するものではない。当業者が、本考案の趣旨及び範囲を逸脱しない限りにおいて行った変更及び修正といった等価の置換は、依然として本考案の実用新案登録請求の範囲に含まれる。
【符号の説明】
【００１９】
１００  シール設備
１１０  台座
１２０  フィルム装置
１２２  フィルム材受取ホイール
１２４  フィルム材供給ホイール
１２６  第３のモータ
１３０  フィルム圧着装置
１３２  ヒートシール部材
１３４  懸架押圧板
１３６  伝動シャフト
１３８  第１のモータ
１４０  収容装置
１４２  収容ホルダ
１４４  第２のモータ
１５０  防護カバー
Ａ１  フィルム材受取ホイールの軸心
Ａ２  フィルム材供給ホイールの軸心
Ｓ１  基板
θ  開角
【図１】
0003192824.tif 000003
【図２】
0003192824.tif 000004
【図３】
0003192824.tif 000005